(57)【要約】【課題】キーボード、ボタン等のキー操作によらず、互いにスライド自在な２つの筐体のスライド操作によって多様な実行メニューを選択して実行させることが可能なスライド機構付き携帯端末を提供する。【解決手段】位置検出センサＡ〜Ｃにて検出される筐体１０１，１０２のスライド操作に対応した操作パターンと、該操作パターンに応じた個別の実行メニューを各種記憶するデータ記憶部５１と、該筐体１０１，１０２のスライド操作がデータ記憶部５１に記憶された操作パターンに一致するか否かを照合し、この照合結果に応じて、該操作パターンに対応した実行メニューを選択する実行メニュー選択部５２と、を有することを特徴とする。【選択図】図１
2009253802.tif 000002
【特許請求の範囲】
【請求項１】
スライド自在に設けられた筐体と該筐体のスライド位置を検出する位置検出センサとを有するスライド機構付き携帯端末であって、
前記位置検出センサにて検出される前記筐体のスライド操作に対応した操作パターンと該操作パターンに応じた個別の実行メニューを各種記憶するデータ記憶部と、
前記筐体のスライド操作が、前記データ記憶部に記憶された操作パターンに一致するか否かを照合し、この照合結果に応じて、該操作パターンに対応した実行メニューを選択する実行メニュー選択部と、
を有することを特徴とするスライド機構付き携帯端末。
【請求項２】
前記実行メニュー選択部は、操作パターンの照合結果に応じて選択された実行メニューに基づき、所定のアプリケーションを実行させることを特徴とする請求項１に記載のスライド機構付き携帯端末。
【請求項３】
前記データ記憶部に記憶される操作パターンは、少なくとも、前記筐体が開位置にある場合と、該筐体が閉位置にある場合と、該筐体が中間位置にある場合の３つの位置データの組み合わせにより示されることを特徴とする請求項１又は２に記載のスライド機構付き携帯端末。
【発明の詳細な説明】
【技術分野】
【０００１】
本発明は、スライド機構付き携帯端末に係り、簡易な方式で入力操作を行うことができる技術に関する。
【背景技術】
【０００２】
周知のように、近年の携帯端末においては、高機能化が進む一方で小型・薄型化が進んでおり、筐体の主面に配されるキーボードのほか、例えば、キーやボタン等の入力装置を側面等の限られた配設スペースに増設し、高機能化に伴った各種のデータ入力を行えるようにしている。一方、スライド機構が付いた携帯端末は、液晶画面が外方に露出しているので、物理的に入力装置を増設することが困難となっている。
【０００３】
このような問題に対応するために、下記特許文献１に示される文字入力装置及び方法が提案されている。すなわち、下記特許文献１に示される文字入力装置及び方法は、複数のキーを同時に押す同時打鍵方式を採用することによって、文字入力時のキーの打鍵回数を少なくし、さらにキーをグループ化して打鍵タイミングの処理を行うことによって、少ないキーで高速な入力方式を実現するものである。
【０００４】
また、下記特許文献２に示される携帯情報端末は、第１ユニットと、該第１ユニットにスライド可能に係合された第２ユニットとを有し、第２ユニットは、第１ユニットに対してスライド可能な範囲の途中で係止可能とされている。また、これら第１ユニット、第２ユニットには、該第２ユニットのスライド位置を検出する磁気センサが複数設けられており、該磁気センサからの出力に基づき、所定の機能を実行する。
【特許文献１】特開２００３−２６３２６４号公報
【特許文献２】特開２００５−２７７４６８号公報
【発明の開示】
【発明が解決しようとする課題】
【０００５】
ところで、上記特許文献１に提案される文字入力装置及び方法は、打鍵タイミングによって種々の入力を可能とするものであるが、そのタイミングを把握するテクニックが必要であり、初心者には利用し難いという問題がある。
一方、上記特許文献２に提案される携帯情報端末は、第２ユニットのスライド係止位置に基づき所定の機能を実行させるものであるが、スライド係止位置に応じた機能しか実行できず、機能の実行の範囲が制約されるという問題がある。
【０００６】
この発明は、上記の事情に鑑みてなされたものであって、キーボード、ボタン等のキー操作によらず、互いにスライド自在な２つの筐体のスライド操作によって多様な実行メニューを選択して実行させることが可能なスライド機構付き携帯端末の提供を目的とする。
【課題を解決するための手段】
【０００７】
上記課題を解決するために、この発明は以下の手段を提案している。
すなわち、本発明は、スライド自在に設けられた筐体と該筐体のスライド位置を検出する位置検出センサとを有するスライド機構付き携帯端末であって、前記位置検出センサにて検出される前記筐体のスライド操作に対応した操作パターンと該操作パターンに応じた個別の実行メニューを各種記憶するデータ記憶部と、前記筐体のスライド操作が、前記データ記憶部に記憶された操作パターンに一致するか否かを照合し、この照合結果に応じて、該操作パターンに対応した実行メニューを選択する実行メニュー選択部と、を有することを特徴とする。
【０００８】
上記のように構成されたスライド機構付き携帯端末によれば、利用者により筐体がスライド操作された場合に、実行メニュー選択部にて、利用者によるスライド操作が、データ記憶部に記憶された操作パターンに一致するか否かを照合し、この照合結果に応じて、該操作パターンに対応した実行メニューを選択するようにしたので、データ記憶部に、操作パターンに対応した多数の実行メニューを記憶させておけば、筐体のスライド操作に応じて、多様な実行メニューを選択して該実行メニューに基づくアプリケーションを実行させることができる。
また、本発明のスライド機構付き携帯端末は、従来のように単に筐体のスライド位置によって機能を実行するものではなく、位置検出センサにて検出される筐体のスライド操作に対応した操作パターンに基づき、複数の実行メニューの中の一つが選択されるものであるので、複数の操作パターンにより多様な実行メニューの設定が可能であり、該実行メニューに応じて様々な機能（アプリケーション）を実行することができる。
また、本発明のスライド機構付き携帯端末では、スライド可能な筐体のスライド操作を入力手段として利用するものであるので、キーボード、ボタン等の物理的な入力装置を減らすことも可能であり、これによって装置全体の小型化、薄型化も可能となる。
【０００９】
また、本発明では、前記実行メニュー選択部にて、操作パターンの照合結果に応じて選択された実行メニューに基づいて、所定のアプリケーションを実行させることを特徴とする。
【００１０】
上記のように構成されたスライド機構付き携帯端末によれば、実行メニュー選択部にて、操作パターンの照合結果に応じて選択された実行メニューに基づき、所定のアプリケーションを実行させるようにしたので、操作パターンに従って多様な実行メニューに基づく処理が可能となる。
【００１１】
また、本発明では、前記データ記憶部に記憶される操作パターンは、少なくとも、前記筐体が開位置にある場合と、該筐体が閉位置にある場合と、該筐体が中間位置にある場合の３つの位置データの組み合わせにより示されることを特徴とする。
【００１２】
上記のように構成されたスライド機構付き携帯端末によれば、データ記憶部に記憶される操作パターンは、少なくとも、筐体が開位置にある場合と、該筐体が閉位置にある場合と、該筐体が中間位置にある場合の３つの位置データの組み合わせにより示されるものであるので、その組み合わせの違いによって、多くの実行メニューの設定が可能となり、該実行メニューに基づく多様なアプリケーションの実行が可能となる。
【発明の効果】
【００１３】
本発明のスライド機構付き携帯端末では、位置検出センサにて検出される筐体のスライド操作に対応した操作パターンに基づいて、複数の実行メニューの中の一つを選択することができる。これにより実行メニューに応じた多様なアプリケーションの実行を可能とする。
【発明を実施するための最良の形態】
【００１４】
本発明の一実施形態について、図１〜図１１を参照して説明する。図１は、本発明の一実施形態としてのスライド型携帯端末（スライド機構付き携帯端末）１００の構成を示す図である。このスライド型携帯端末１００は、液晶１０３とレシーバー１０５とを搭載している第１の筐体１０１と、キーボード１０４とマイク１０６とを搭載している第２の筐体１０２とを、図中上下方向にスライド自在に設けたものである。
【００１５】
図１から図３に図示するスライド型携帯端末１００は、第１の筐体１０１と第２の筐体１０２との開閉状態を示している。なお、以下の説明において、第１の筐体１０１と第２の筐体１０２とを単に筐体１０１，１０２と略すことがある。
このスライド型携帯端末１００には、第１の筐体１０１が第２の筐体１０２に対して全開となった状態（図１参照、以下「全開状態」とする。）、第１の筐体１０１が第２の筐体１０２に対して全閉となった状態（図２参照、以下「全閉状態」とする。）、第１の筐体１０１が第２の筐体１０２に対して途中まで開いた（又は閉じた）状態（図３参照、以下「半開閉状態」とする。）を検出するために、位置検出センサＡ〜Ｃが設けられている。
【００１６】
位置検出センサＡ〜Ｃは、例えば、磁石を用いたセンサ等からなる。
位置検出センサＡは、第２の筐体１０２の図中上端に設けられており、位置検出センサＢは、第２の筐体１０２の下端に設けられている。また、位置検出センサＣは、第１の筐体１０１の図中下端に設けられている。
【００１７】
位置検出センサＡ及び位置検出センサＢは、位置検出センサＣが近接するとアクティブとなるように構成されている。より具体的には、位置検出センサＡ及び位置検出センサＢは、位置検出センサＣが近接して磁気的に引き合うと「ＯＮ」となり、位置検出センサが離れると「ＯＦＦ」となるように構成されている。
すなわち、図１に示す全開状態では、位置検出センサＣは位置検出センサＡを「ＯＮ」、位置検出センサＢを「ＯＦＦ」とする。また、図２に示す全閉状態では、位置検出センサＣは位置検出センサＡを「ＯＦＦ」、位置検出センサＢを「ＯＮ」とする。また、図３に示す半開閉状態では、位置検出センサＣは位置検出センサＡ及びＢを共に「ＯＦＦ」とする。
【００１８】
また、このようなスライド型携帯端末１００内には、図１に示すようなデータ処理部５０が設けられている。このデータ処理部５０は、位置検出センサＡ〜Ｃにて検出される筐体１０１，１０２のスライド操作に対応した操作パターン（位置検出センサＡ，Ｂの「ＯＮ」「ＯＦＦ」のパターン）と、該操作パターンに応じた個別の実行メニューを各種記憶するデータ記憶部５１と、筐体１０１，１０２がスライド操作された場合に、該筐体１０１，１０２のスライド操作に対応した操作パターンが、該データ記憶部５１に記憶された操作パターンに一致するか否かを照合し、この照合結果に応じて、該操作パターンに対応した実行メニューを選択する実行メニュー選択部５２と、を有するものである。
【００１９】
次に、データ記憶部５１に記憶される操作パターンである位置検出センサＡ，Ｂの「ＯＮ」「ＯＦＦ」パターンについて、図４から図６を用いて説明する。
例えば、図４に示すように、図４（ａ）に示す全開状態から、図４（ｂ）に示す全閉状態を経て、図４（ｃ）に示す半開閉状態とした場合、すなわち、第２の筐体１０２に対して全閉にある筐体１０１を半分開いて、再び全閉とした場合には、図６（ｃ）に示すように、位置検出センサＡが「ＯＦＦ−ＯＦＦ−ＯＦＦ」、位置検出センサＢが「ＯＮ−ＯＦＦ−ＯＮ」のパターンを示す。
【００２０】
また、図５に示すように、図５（ａ）に示す全開状態から、図５（ｂ）に示す半開閉状態を経て、図５（ｃ）に示す全開状態とした場合、すなわち、第２の筐体１０２に対して全開にある筐体１０１を半分閉じて、再び全開とした場合には、図６（ｄ）に示すように、位置検出センサＡは「ＯＮ−ＯＦＦ−ＯＮ」、位置検出センサＢは「ＯＦＦ−ＯＦＦ−ＯＦＦ」のパターンを示す。
なお、図６（ａ）に示す操作パターンは、全閉状態にある筐体１０１から半開閉状態を経て、全開状態とした場合を示すものであり、また、図６（ｂ）に示す操作パターンは、全開状態となっている筐体１０１から半開閉状態を経て、全閉状態とした場合を示すものである。
【００２１】
このような図６に例示する位置検出センサＡ，Ｂの「ＯＮ」「ＯＦＦ」のパターンが、第２の筐体１０２に対する第１の筐体１０１の操作パターンとして、データ記憶部５１に予め記憶されている。
【００２２】
次に、データ記憶部５１に記憶される実行メニューについて、図７、図８を参照して説明する。この実行メニューは、図５、図６に示されるような、筐体１０１，１０２のスライド操作により構成される操作パターン（センサＡ，ＢのＯＮ／ＯＦＦパターン）に対応して設定されるものである。
【００２３】
例えば、筐体１０１，１０２が図６（ｃ）で示す操作パターンとなった場合には、図７に実行メニュー「Ｎｏ.１」で示す“メール”が選択され、図８に示すような、受信メールＢＯＸを開くためのアプリケーションの実行指令を出力する。
また、筐体１０１，１０２が図６（ｄ）で示す操作パターンとなった場合には、図７に実行メニュー「Ｎｏ.２」で示す“スケジュール”が選択され、図８に示すような、スケジューラを開くためのアプリケーションの実行指令を出力する。
【００２４】
以降、同様に、筐体１０１，１０２にて、各種操作パターンに合致した操作が行われた場合には、図７に示される、該操作パターンに対応した実行メニュー「Ｎｏ.３」〜「Ｎｏ.９」の一つが選択され、これに応じたアプリケーションの実行指令を出力する。
【００２５】
次に、データ処理部５０の実行メニュー選択部５２にて実行される処理フローについて図９のフローチャートを参照して説明する。まず、第１の筐体１０１が第２の筐体１０２に対して開閉操作された（ステップＳ１）場合には、この開閉操作に伴なう位置検出センサＡ，ＢのＯＮ・ＯＦＦパターン（筐体１０１，１０２の操作パターン）を取り込み（ステップＳ２）、このＯＮ・ＯＦＦパターンが、データ記憶部５１に予め記憶されるＯＮ・ＯＦＦパターン（図６参照）に一致しているか否かを照合する（ステップＳ３）。その結果、一致したＯＮ・ＯＦＦパターンが無い場合には先のステップＳ１に戻る。
【００２６】
一方、ステップＳ３の照合の結果、一致したＯＮ・ＯＦＦパターンがある場合には、筐体１０１，１０２の操作パターンに応じた実行メニューＮｏ.１〜Ｎｏ.９（図７参照）の一つを選択し（ステップＳ４）、該実行メニューに応じたアプリケーション（受信メールＢＯＸ、スケジューラ等のオープン）を実行させる指令を出力する（ステップＳ５）。
【００２７】
以上詳細に説明したスライド型携帯端末１００によれば、利用者により筐体１０１，１０２がスライド操作された場合に、実行メニュー選択部５２にて、該スライド操作により得られる操作パターンが、データ記憶部５１に記憶された操作パターンに一致するか否かを照合し、この照合結果に応じて、該操作パターンに対応した実行メニューを選択するようにしたので、データ記憶部５１に、操作パターンに対応した多数の実行メニューを記憶させておけば、筐体１０１，１０２のスライド操作に応じて、多様な実行メニューに対応したアプリケーションを実行することができる。
【００２８】
また、上記のスライド機構付き携帯端末では、従来のように単に筐体１０１，１０２のスライド位置によって機能を実行するものではなく、位置検出センサＡ〜Ｃにて検出される筐体１０１，１０２のスライド操作に対応した操作パターンに基づき、複数の実行メニューの中の一つが選択されるものであるので、複数の操作パターンにより多様な実行メニューの設定ができ、該実行メニューに対応した様々なアプリケーションの実施が可能となる。
【００２９】
また、上記のスライド機構付き携帯端末では、スライド可能な筐体１０１，１０２のスライド操作を入力手段として利用するものであるので、キーボード、ボタン等の物理的な入力装置を減らすことも可能であり、これによって装置全体の小型化、薄型化も可能となる。
【００３０】
また、上記のスライド機構付き携帯端末では、データ記憶部５１に記憶される操作パターンは、少なくとも、筐体１０１，１０２が開位置にある場合と、該筐体１０１，１０２が閉位置にある場合と、該筐体１０１，１０２が中間位置にある場合の３つの位置データ（位置検出センサＡ〜ＣのＯＮ・ＯＦＦデータ）の組み合わせにより示されるものであるので、その組み合わせの違いによって、多くの実行メニューの設定が可能となり、該実行メニューに基づく多様なアプリケーションの実施が可能となる。
【００３１】
また、上記実施形態では、筐体１０１，１０２が開位置にある場合と、該筐体１０１，１０２が閉位置にある場合と、該筐体１０１，１０２が中間位置にある場合の３つの位置データ（位置検出センサＡ〜ＣのＯＮ・ＯＦＦデータ）の組み合わせにより、筐体１０１，１０２の操作パターンを示したが、筐体１０２の位置検出センサＡと位置検出センサＢとの間に、単数又は複数の位置検出センサを追加配置することで、さらに多くの操作パターン、該操作パターンに対応した実行メニューを設定しても良い。
【００３２】
以上、本発明の実施形態について図面を参照して詳述したが、具体的な構成はこの実施形態に限られるものではなく、本発明の要旨を逸脱しない範囲の設計変更等も含まれる。
例えば、上述したデータ記憶部５１では、図６及び図７に示されるような筐体１０１，１０２の操作パターンに限定されず、該操作パターンを複数組み合わせることで更に多くの入力パターンを設けても良い。
具体的には、図１０は、位置検出センサＡ，ＢのＯＮ・ＯＦＦのパターンを、パターンＡ〜パターンＤに分類したものであるが、これらパターンＡ〜Ｄを更に組み合わせることで複数の入力方式を実現すると良い。例えば、セキュリティーを例にとると、筐体１０１，１０２のスライド操作の動きそのものをパターン化し、そのパターンによって実行メニューとなるロック、アンロックを実現することも可能となる。
【００３３】
図１１は、スライド型携帯端末１００内の情報をロック、アンロックする場合の鍵情報をパターン管理情報として示したものである。鍵情報１００１は、情報をロックする際に参照するテーブルであり、鍵情報１００２は情報をアンロックする際に参照するテーブルを示している。操作例としては、図１１の鍵情報１００１に示されるパターンＣの操作を２回繰り返すとスライド型携帯端末１００にロックがかかり、アンロックされるまではスライド型携帯端末１００内の情報を閲覧することができなくなり、セキュリティーを確保することが可能となる。また、アンロック時は鍵情報１００２で示されるような操作を行うことで解除され、再び閲覧が可能となる。このようにすることで一連の操作をパターン化し、更に組み合わせることで複数の入力を可能とし、より複雑な操作を簡単なスライド操作によって実現することを可能とする。
【図面の簡単な説明】
【００３４】
【図１】本発明の一実施形態におけるスライド機構付き携帯端末１００の構成を示す図であって筐体１０１，１０２が完全に開いた全開状態を示す図である。
【図２】本発明の一実施形態におけるスライド機構付き携帯端末１００の筐体１０１，１０２が完全に閉じた全閉状態を示す図である。
【図３】本発明の一実施形態におけるスライド機構付き携帯端末１００の筐体１０１，１０２が途中まで開いた（又は閉じた）状態を示す図である。
【図４】本発明の一実施形態におけるスライド機構付き携帯端末１００の筐体の操作パターンの一例を示す図である。
【図５】本発明の一実施形態におけるスライド機構付き携帯端末１００の筐体の操作パターンの一例を示す図であって、図４とは異なる操作パターンを示す図である。
【図６】本発明の一実施形態において、図４及び図５に例示した操作パターンに基づく位置検出センサのＯＮ・ＯＦＦパターンを示すテーブルである。
【図７】本発明の一実施形態において、図６のＯＮ・ＯＦＦパターンに対応した実行メニューを示すテーブルである。
【図８】本発明の一実施形態において、実行メニューによるアプリケーションの実行状態を示す図である。
【図９】本発明の一実施形態において、実行メニュー選択部５２の処理内容を示すフローチャートである。
【図１０】本発明の一実施形態において、ＯＮ・ＯＦＦパターンを示すテーブルである。
【図１１】本発明の一実施形態において、図１０のＯＮ・ＯＦＦパターンに対応した実行メニューを示すテーブルである。
【符号の説明】
【００３５】
１００…スライド型携帯端末（スライド機構付き携帯端末）
１０１…第１の筐体
１０２…第２の筐体
５１…データ記憶部
５２…実行メニュー選択部
Ａ〜Ｃ…位置検出センサ
【図１】
2009253802.tif 000003
【図２】
2009253802.tif 000004
【図３】
2009253802.tif 000005
【図４】
2009253802.tif 000006
【図５】
2009253802.tif 000007
【図６】
2009253802.tif 000008
【図７】
2009253802.tif 000009
【図８】
2009253802.tif 000010
【図９】
2009253802.tif 000011
【図１０】
2009253802.tif 000012
【図１１】
2009253802.tif 000013